(57)【要約】【課題】文字情報又は画像情報などの２種類以上の情報を同時に表示することができる液晶表示装置を提供すること。【解決手段】液晶表示ユニット１０１は、第１の液晶層を有する複数の第１の液晶セル１０１−１と、第２の液晶層を有する複数の第２の液晶セル１０１−２と、第１の液晶セル１０１−１及び前記第２の液晶セル１０１−２を配列するための配列板１０１−３と、を具備している。第１の液晶セル１０１−１及び第２の液晶セル１０１−２は、前記複数の第１の液晶層の第１の視角方向が同一の第１の方向となり、前記複数の第２の液晶層の第２の視角方向が同一の第２の方向となり、かつ、前記第１及び第２の方向が異なるように配列板１０１−３に交互に配列されている。【選択図】　　　図１
2004038035.tif 000002
【特許請求の範囲】
【請求項１】
液晶表示ユニットと前記液晶表示ユニットの動作を制御する制御手段とを具備し、前記液晶表示ユニットは、第１の液晶層を有する複数の第１の液晶セルと、第２の液晶層を有する複数の第２の液晶セルと、前記第１の液晶セル及び前記第２の液晶セルを配列するための配列板と、を具備し、前記複数の第１の液晶セル及び複数の前記第２の液晶セルは、前記複数の第１の液晶層の第１の視角方向が同一の第１の方向となり、前記複数の第２の液晶層の第２の視角方向が同一の第２の方向となり、かつ、前記第１の方向及び前記第２の方向が異なるように前記配列板に交互に配列されていることを特徴とする液晶表示装置。
【請求項２】
液晶表示ユニットと前記液晶表示ユニットの動作を制御する制御手段とを具備し、前記液晶表示ユニットは、第１の液晶層を有する複数の第１の液晶セルと、第２の液晶層を有する複数の第２の液晶セルと、前記第１の液晶セル及び前記第２のセルを配列するための配列板と、を具備し、前記複数の第１の液晶セル及び第２の液晶セルは、前記複数の第１の液晶層の第１の視角方向が同一の第１の方向となり、前記複数の第２の液晶層の第２の視角方向が同一の第２の方向となり、かつ、前記第１及び第２の方向が異なるように前記配列板に交互に配列され、前記制御手段は、前記第１の液晶層の第１の視角方向又は前記第２の液晶層の第２の視角方向のいずれか１つを２段階以上に変移させることを特徴とする液晶表示装置。
【請求項３】
液晶表示ユニットと前記液晶表示ユニットの動作を制御する制御手段とを具備し、前記液晶表示ユニットは、第１の液晶層を有する複数の第１の液晶セルと、第２の液晶層を有する複数の第２の液晶セルと、前記第１の液晶セル及び前記第２の液晶セルを配列するための配列板と、を具備し、前記複数の第１の液晶セル及び前記複数の第２のセルは、前記複数の第１の液晶層の第１の視角方向が同一の第１の方向となり、前記複数の第２の液晶層の第２の視角方向が同一の第２の方向となり、かつ、前記第１及び第２の方向が異なるように前記配列板に交互に配列され、前記制御手段は、前記第１の液晶層の第１の視角方向及び前記第２の液晶層の第２の視角方向を２段階以上に変移させることを特徴とする液晶表示装置。
【請求項４】
前記第１の液晶セルは文字情報のみを表示し、前記第２の液晶セルは画像情報のみを表示することを特徴とする請求項１から請求項３のいずれかに記載の液晶表示装置。
【請求項５】
前記第１の液晶セル又は前記第２の液晶セルは、時刻情報のみを表示することを特徴とする請求項１から請求項３のいずれかに記載の液晶表示装置。
【請求項６】
液晶表示ユニットと前記液晶表示ユニットの動作を制御する制御手段とを具備し、前記液晶表示ユニットは、第１の液晶層を有する複数の第１の液晶セルと、第２の液晶層を有する複数の第２の液晶セルと、第３の液晶層を有する複数の第３の液晶セルと、第４の液晶層を有する複数の第４の液晶セルと、前記第１の液晶セルと前記第２の液晶セルと前記第３の液晶セルと前記第４の液晶セルとを配列するための配列板と、を具備し、前記複数の第１の液晶セルと前記複数の第２の液晶セルと前記複数の第３の液晶セルと前記複数の第４の液晶セルは、前記複数の第１の液晶層の第１の視角方向が同一の第１の方向となり、前記複数の第２の液晶層の第２の視角方向が同一の第２の方向となり、前記複数の第３の液晶層の第３の視角方向が同一の第３の方向となり、前記複数の第４の液晶層の第４の視角方向が同一の第４の方向となり、かつ、前記第１の方向と前記第２の方向と前記第３の方向と前記第４の方向とが異なるように前記配列板に交互に配列されていることを特徴とする液晶表示装置。
【請求項７】
請求項１から請求項６のいずれかに記載の液晶表示装置を具備することを特徴とする携帯通信端末装置。
【発明の詳細な説明】
【０００１】
【発明の属する技術分野】
本発明は、携帯通信端末装置などに用いられる液晶表示装置に関するものである。
【０００２】
【従来の技術】
従来、液晶表示装置としては、特開２００１−２２２００４号公報に記載されたものがある。図８に示すように、この従来の液晶表示装置は、液晶層を一対の対向する基板で挟持した液晶セルと第１の偏光性薄膜８０１−１とを有する液晶表示部８０１と、この液晶表示部８０１とは離れて独立して設けられ、液晶表示部８０１の表示面と使用者との間の任意の位置に配置可能であって、液晶表示部８０１の第１の偏光性薄膜８０１−１と対をなすように配置される第２の偏光性薄膜８０２とを有し、第１と第２の偏光性薄膜８０１−１、８０２を通して液晶表示部８０１での表示が視認可能であるように構成したものである。
【０００３】
この液晶表示装置８００においては、使用者８０３は視線Ａの方向で、第２の偏光性薄膜８０２を介して液晶表示部８０１の表示を視認することができる。しかし、使用者８０３の近くにいる第３者８０４は、視線Ｂの方向では第２の偏光性薄膜８０２を介して液晶表示部８０１の表示を視認することができない。また、第３者８０４の視線Ｃの方向には液晶表示部８０１がない。
【０００４】
この従来の液晶表示装置８００においては、使用者以外の人間が液晶表示部８０１の表示を視認することができないようにプライバシーを保つ目的で視野角を狭めるようにしている。
【０００５】
【発明が解決しようとする課題】
しかし、液晶表示装置において、今後、様々なアプリケーションのニーズに伴って発信者の識別情報、通信端末装置の識別情報、ステータス情報又はメーカーのロゴ等の画像情報を限られた画面の中で同時に表示させる必要があるが、従来の液晶表示装置においては、文字情報と、これに付随する画像情報とを同時に表示することが困難であるという問題がある。
【０００６】
本発明は、かかる点に鑑みてなされたものであり、文字情報又は画像情報などの２種類以上の情報を同時に表示することができる液晶表示装置を提供することを目的とする。
【０００７】
【課題を解決するための手段】
本発明の液晶表示装置は、液晶表示ユニットと前記液晶表示ユニットの動作を制御する制御手段とを具備し、前記液晶表示ユニットは、第１の液晶層を有する複数の第１の液晶セルと、第２の液晶層を有する複数の第２の液晶セルと、前記第１の液晶セル及び前記第２の液晶セルを配列するための配列板と、を具備し、前記複数の第１の液晶セル及び前記複数の第２の液晶セルは、前記複数の第１の液晶層の第１の視角方向が同一の第１の方向となり、前記複数の第２の液晶層の第２の視角方向が同一の第２の方向となり、かつ、前記第１の方向及び前記第２の方向が異なるように前記配列板に交互に配列されている構成を採る。
【０００８】
この構成によれば、１つの情報を複数の第１の液晶セルにより表示し、かつ、他の情報を複数の第２の液晶セルにより表示することができるから、文字情報又は画像情報などの２種類の情報を同時に表示することができる。
【０００９】
本発明の液晶表示装置は、液晶表示ユニットと前記液晶表示ユニットの動作を制御する制御手段とを具備し、前記液晶表示ユニットは、第１の液晶層を有する複数の第１の液晶セルと、第２の液晶層を有する複数の第２の液晶セルと、前記第１の液晶セル及び前記第２のセルを配列するための配列板と、を具備し、前記複数の第１の液晶セル及び第２の液晶セルは、前記複数の第１の液晶層の第１の視角方向が同一の第１の方向となり、前記複数の第２の液晶層の第２の視角方向が同一の第２の方向となり、かつ、前記第１及び第２の方向が異なるように前記配列板に交互に配列され、前記制御手段は、前記第１の液晶層の第１の視角方向又は前記第２の液晶層の第２の視角方向のいずれか１つを２段階以上に変移させる構成を採る。
【００１０】
この構成によれば、１つの情報を複数の第１の液晶セルにより表示し、かつ、他の情報を複数の第２の液晶セルにより表示することができるから、文字情報又は画像情報などの２種類の情報を同時に表示することができる。また、この構成によれば、複数の第１の液晶セルにおける第２の液晶層の第２の視角方向Ｖを２段階以上に変移させ、また、複数の第２の液晶セルにおける第２の液晶層の第２の視角方向Ｖを２段階以上に変移させることができるから、複数の第１の液晶セルによる表示、又は、複数の第２の液晶セルによる表示を視認できる視角を制御することができる。
【００１１】
本発明の液晶表示装置は、液晶表示ユニットと前記液晶表示ユニットの動作を制御する制御手段とを具備し、前記液晶表示ユニットは、第１の液晶層を有する複数の第１の液晶セルと、第２の液晶層を有する複数の第２の液晶セルと、前記第１の液晶セル及び前記第２の液晶セルを配列するための配列板と、を具備し、前記複数の第１の液晶セル及び前記複数の第２のセルは、前記複数の第１の液晶層の第１の視角方向が同一の第１の方向となり、前記複数の第２の液晶層の第２の視角方向が同一の第２の方向となり、かつ、前記第１及び第２の方向が異なるように前記配列板に交互に配列され、前記制御手段は、前記第１の液晶層の第１の視角方向及び前記第２の液晶層の第２の視角方向を２段階以上に変移させる構成を採る。
【００１２】
この構成によれば、１つの情報を複数の第１の液晶セルにより表示し、かつ、他の情報を複数の第２の液晶セルにより表示することができるから、文字情報又は画像情報などの２種類の情報を同時に表示することができる。また、この構成によれば、複数の第１の液晶セルにおける第２の液晶層の第２の視角方向Ｖを２段階以上に変移させ、かつ、複数の第２の液晶セルにおける第２の液晶層の第２の視角方向Ｖを２段階以上に変移させることができるから、複数の第１の液晶セルによる表示、及び、複数の第２の液晶セルによる表示を視認できる視角を制御することができる。
【００１３】
本発明の液晶表示装置は、前記構成において、前記第１の液晶セルは文字情報のみを表示し、前記第２の液晶セルは画像情報のみを表示する構成を採る。
【００１４】
この構成によれば、前記効果に加えて、文字情報及び画像情報を同時に表示することができる。
【００１５】
本発明の液晶表示装置は、前記構成において、前記第１の液晶セル又は前記第２の液晶セルは、時刻情報のみを表示する構成を採る。
【００１６】
この構成によれは、前記効果に加えて、第１の液晶セル又は第２の液晶セルが時刻情報のみを表示することができる。
【００１７】
本発明の液晶表示装置は、液晶表示ユニットと前記液晶表示ユニットの動作を制御する制御手段とを具備し、前記液晶表示ユニットは、第１の液晶層を有する複数の第１の液晶セルと、第２の液晶層を有する複数の第２の液晶セルと、第３の液晶層を有する複数の第３の液晶セルと、第４の液晶層を有する複数の第４の液晶セルと、前記第１の液晶セルと前記第２の液晶セルと前記第３の液晶セルと前記第４の液晶セルとを配列するための配列板と、を具備し、前記複数の第１の液晶セルと前記複数の第２の液晶セルと前記複数の第３の液晶セルと前記複数の第４の液晶セルは、前記複数の第１の液晶層の第１の視角方向が同一の第１の方向となり、前記複数の第２の液晶層の第２の視角方向が同一の第２の方向となり、前記複数の第３の液晶層の第３の視角方向が同一の第３の方向となり、前記複数の第４の液晶層の第４の視角方向が同一の第４の方向となり、かつ、前記第１の方向と前記第２の方向と前記第３の方向と前記第４の方向とが異なるように前記配列板に交互に配列されている構成を採る。
【００１８】
この構成によれば、４つの情報を異なる４つの方向から視認できるように同時に表示することができる。
【００１９】
本発明の携帯通信端末装置は、前記液晶表示装置を具備する構成を採る。
【００２０】
この構成によれば、前記効果を有する携帯通信端末装置を得ることができる。
【００２１】
【発明の実施の形態】
本発明の骨子は、複数の第１の液晶層の第１の視角方向が同一の第１の方向となり、複数の第２の液晶層の第２の視角方向が同一の第２の方向となり、かつ、前記第１の方向及び前記第２の方向が異なるように配列板に交互に配列されていることである。
【００２２】
以下、本発明の実施の形態について、図面を参照して詳細に説明する。
【００２３】
（実施の形態１）
図１は、本発明の実施の形態１に係る液晶表示装置の構成を示す正面図である。
【００２４】
図１に示すように、本発明の実施の形態１に係る液晶表示装置１００は、液晶表示ユニット１０１と、この液晶表示ユニット１０１の動作を制御する制御装置１０２とを具備している。
【００２５】
液晶表示ユニット１０１は、第１の液晶層を有する複数の第１の液晶セル１０１−１と、第２の液晶層を有する複数の第２の液晶セル１０１−２と、第１の液晶セル１０１−１及び第２の液晶セル１０１−２を配列するための配列板１０１−３と、を具備している。
【００２６】
第１の液晶セル１０１−１及び第２の液晶セル１０１−２は、複数の第１の液晶層の第１の視角方向が同一の第１の方向となり、複数の第２の液晶層の第２の視角方向が同一の第２の方向となり、かつ、前記第１の方向及び前記第２の方向が異なるように配列板１０１−３に交互に配列されている。
【００２７】
図２に示すように、第１の液晶セル１０１−１は、第１の液晶層の第１の視角方向が矢印Ｖ１０１の方向となるように形成されている。第１の液晶セル１０１−１に表示される情報は、視点Ｖ１の方向から視認することができるが、視点Ｖ１以外の視点Ｖ２から視認することができない。
【００２８】
図３に示すように、第２の液晶セル１０１−２は、第２の液晶層の第２の視角方向が矢印Ｖ１０２の方向となるように形成されている。第２の液晶セル１０１−２に表示される情報は、視点Ｖ２の方向から視認することができるが、視点Ｖ２以外の視点Ｖ１から視認することができない。
【００２９】
したがって、図１に示す液晶表示装置１００においては、複数の第１の液晶セル１０１−１に表示される情報は、視点Ｖ１の方向から視認することができるが、視点Ｖ１以外の視点Ｖ２から視認することができない。また、液晶表示装置１００においては、複数の第２の液晶セル１０１−２に表示される情報は、視点Ｖ２の方向から視認することができるが、視点Ｖ２以外の視点Ｖ１から視認することができない。
【００３０】
本発明の実施の形態１によれば、１つの情報を複数の第１の液晶セル１０１−１により表示し、かつ、他の情報を複数の第２の液晶セル１０１−２により表示することができるから、文字情報又は画像情報などの２種類の情報を同時に表示することができる。
【００３１】
（実施の形態２）
次に、本発明の実施の形態２に係る携帯通信端末装置について、図面を参照して説明する。図４は、本発明の実施の形態２に係る携帯通信端末装置の構成を示す正面図である。本発明の実施の形態２においては、本発明の実施の形態１と同じ構成要素には同じ参照符号が付されている。
【００３２】
図４に示すように、本発明の実施の形態２に係る携帯通信端末装置４００は、表示手段として液晶表示装置１００を具備している。
【００３３】
この携帯通信端末装置４００においては、視点Ｖ１から複数の第１の液晶セル１０１−１に表示された情報が画像４０１として視認できる。また、この携帯通信端末装置４００においては、視点Ｖ２から複数の第２の液晶セル１０１−２に表示された情報が画像４０２として視認できる。
【００３４】
（実施の形態３）
次に、本発明の実施の形態３に係る液晶表示装置について、図面を参照して説明する。図５は、本発明の実施の形態３に係る液晶表示装置の構成を示す正面図である。本発明の実施の形態３においては、本発明の実施の形態１と同じ構成要素には同じ参照符号が付されている。
【００３５】
本発明の実施の形態３に係る液晶表示装置５００は、液晶表示ユニット１０１と、この液晶表示ユニット１０１に接続されている制御装置５０１とを具備している。
【００３６】
制御装置５０１は、複数の第２の液晶セル１０１−２における第２の液晶層の第２の視角方向Ｖ１０２を２段階以上に変移させるように制御する。例えば、制御装置５０１は、複数の第２の液晶セル１０１−２における第２の液晶層の第２の視角方向Ｖ１０２を、図５に示す方向から図６に示す方向、及び、図７に示す方向へ変移させることができる。
【００３７】
図５に示す液晶表示装置５００においては、視点Ｖ１から複数の第１の液晶セル１０１−１に表示された情報が視認でき、また、視点Ｖ２から複数の第２の液晶セル１０１−２に表示された情報が視認できる。また、図６に示す液晶表示装置５００においては、視点Ｖ１から複数の第１の液晶セル１０１−１に表示された情報が視認でき、また、視点Ｖ１２から複数の第２の液晶セル１０１−２に表示された情報が視認できる。さらに、図７に示す液晶表示装置５００においては、視点Ｖ１から複数の第１の液晶セル１０１−１に表示された情報が視認でき、かつ、視点Ｖ１から複数の第２の液晶セル１０１−２に表示された情報が視認できる。
【００３８】
なお、本発明の実施の形態３においては、制御装置５０１は、複数の第１の液晶セル１０１−１における第１の液晶層の第１の視角方向Ｖ１０１を２段階以上に変移させるように制御するようにしてもよい。また、本発明の実施の形態３においては、制御装置５０１は、複数の第１の液晶セル１０１−１における第１の液晶層の第１の視角方向Ｖ１０１を２段階以上に変移させ、かつ、複数の第２の液晶セル１０１−２における第２の液晶層の第２の視角方向Ｖ１０２を２段階以上に変移させるように制御するようにしてもよい。
【００３９】
本発明の本発明の実施の形態３によれば、１つの情報を複数の第１の液晶セル１０１−１により表示し、かつ、他の情報を複数の第２の液晶セル１０１−２により表示することができるから、文字情報又は画像情報などの２種類の情報を同時に表示することができる。また、本発明の本発明の実施の形態３によれば、複数の第１の液晶セル１０１−１における第１の液晶層の第１の視角方向Ｖ１０１を２段階以上に変移させ、又は、複数の第２の液晶セル１０１−２における第２の液晶層の第２の視角方向Ｖ１０２を２段階以上に変移させることができるから、複数の第１の液晶セル１０１−１による表示、又は、複数の第２の液晶セル１０１−２による表示を視認できる視角を制御することができる。
【００４０】
なお、本発明の実施の形態１から３のいずれかにおいて、複数の第１の液晶セル１０１−１は文字情報のみを表示し、第２の液晶セル１０１−２は画像情報のみを表示するように構成してもよい。また、本発明の実施の形態１から３のいずれかにおいて、第１の液晶セル１０１−１又は第２の液晶セル１０１−２は、時刻情報のみを表示するように構成してもよい。
【００４１】
また、本発明の液晶表示ユニット１０１は、第１の液晶層を有する複数の第１の液晶セルと、第２の液晶層を有する複数の第２の液晶セルと、第３の液晶層を有する複数の第３の液晶セルと、第４の液晶層を有する複数の第４の液晶セルと、前記第１の液晶セルと前記第２の液晶セルと前記第３の液晶セルと前記第４の液晶セルとを配列するための配列板１０１−３と、を具備し、前記複数の第１の液晶セルと前記複数の第２の液晶セル前記複数の第３の液晶セルと前記複数の第４の液晶セルは、前記複数の第１の液晶層の第１の視角方向が同一の第１の方向となり、前記複数の第２の液晶層の第２の視角方向が同一の第２の方向となり、前記複数の第３の液晶層の第３の視角方向が同一の第３の方向となり、前記複数の第４の液晶層の第４の視角方向が同一の第４の方向となり、かつ、前記第１の方向と前記第２の方向と前記第３の方向と前記第４の方向とが異なるように配列板１０１−３に交互に配列されているように構成してもよい。この場合には、本発明の液晶表示ユニットは、４つの情報を異なる４つの方向から視認することができるように同時に表示することができる。
【００４２】
なお、本発明は、携帯電話機などの携帯通信端末装置に適用することができる。
【００４３】
【発明の効果】
以上説明したように、本発明によれば、１つの情報を複数の第１の液晶セルにより表示し、かつ、他の情報を複数の第２の液晶セルにより表示することができるから、２種類の情報を同時に表示することができる。
【図面の簡単な説明】
【図１】本発明の実施の形態１に係る液晶表示装置の構成を示す正面図
【図２】本発明の実施の形態１に係る液晶表示装置における第１の液晶セルの構成を示す正面図
【図３】本発明の実施の形態１に係る液晶表示装置における第２の液晶セルの構成を示す正面図
【図４】本発明の実施の形態２に係る携帯通信端末装置の構成を示す正面図
【図５】本発明の実施の形態３に係る液晶表示装置の構成を示す正面図
【図６】本発明の実施の形態３に係る液晶表示装置の他の状態を示す正面図
【図７】本発明の実施の形態３に係る液晶表示装置の他の状態を示す正面図
【図８】従来の液晶表示装置の構成を示す斜視図
【符号の説明】
１００、５００　液晶表示装置
１０１　液晶表示ユニット
１０１−１　第１の液晶セル
１０１−２　第２の液晶セル
１０１−３　配列板
１０２　制御装置
４００　携帯通信端末装置
５０１　制御装置
【図１】
2004038035.tif 000003
【図２】
2004038035.tif 000004
【図３】
2004038035.tif 000005
【図４】
2004038035.tif 000006
【図５】
2004038035.tif 000007
【図６】
2004038035.tif 000008
【図７】
2004038035.tif 000009
【図８】
2004038035.tif 000010